(57)【特許請求の範囲】
【請求項１】
海等から水平方向に隔てられた地盤の中に矢板を水平方向に対して垂直に配置する第１ステップと、
前記地盤における、前記矢板と該矢板から前記海等に向けて水平方向に隔てられた位置との間の領域を前記地盤の表面から前記矢板の上端部と下端部との間まで掘削する第２ステップと、
掘削した地盤の底部の上にパネルを前記矢板及び前記位置のそれぞれから間隔を置いて前記矢板に平行に配置する第３ステップと、
前記パネルと前記位置との間を土砂で満たす第４ステップと、
前記パネルと前記矢板との間を充填材で満たす第５ステップと、
前記第３ステップと前記第４ステップとの間に位置調整手段を用いて前記矢板に対する前記パネルの上下方向の位置を調整する第６ステップとを含み、
前記第３ステップの前に前記パネルに複数のスペーサーを上下方向に間隔を置いて取り付け、前記第３ステップにおいて各スペーサーが前記矢板に接するように前記掘削した地盤の底部の上に前記パネルを配置し、
前記調整手段は、前記矢板の前記上端部に固定された第１部材と、該第１部材に上下方向に移動可能に取り付けられた第２部材と、一端部が該第２部材に固定され、他端部が前記パネルの上端部に固定されたチェーンからなる第３部材とを備え、前記第６ステップにおいて、前記第２部材を前記第１部材に対して上下方向に移動させることにより、前記パネルの上下方向の位置を調整する、護岸の施工法。
【請求項２】
海等から水平方向に隔てられた地盤の中に、相対する２つの面を有する矢板を水平方向に対して垂直に、前記面のうち一方の面が前記海等に向けられるように配置すること、
前記地盤における、前記矢板の前記一方の面と該一方の面から前記海等に向けて水平方向に隔てられた位置との間の領域を前記地盤の表面から前記矢板の上端部と下端部との間まで掘削すること、
掘削した地盤の底部の上にパネルを前記矢板の前記一方の面及び前記位置のそれぞれから間隔を置いて前記矢板に平行に配置することであって、当該配置の前に前記パネルに上下方向に間隔を置いて取り付けられた複数のスペーサーのそれぞれが前記矢板に接するように前記掘削した地盤の底部の上に前記パネルを配置すること、
前記矢板の前記上端部に固定された第１部材と、該第１部材に上下方向に移動可能に取り付けられた第２部材と、一端部が該第２部材に固定され、他端部が前記パネルの上端部に固定されたチェーンからなる第３部材とを備える位置調整手段を用いて前記矢板に対する前記パネルの上下方向の位置を調整することであって、前記第２部材を前記第１部材に対して上下方向に移動させることにより、前記パネルの上下方向の位置を調整すること、
前記パネルと前記位置との間を土砂で満たすこと、
前記パネルと前記矢板の前記一方の面との間を充填材で満たすこと、
前記パネルの上端面と前記充填材の上端面と前記矢板の上端面と前記矢板の前記上端部における他方の面とを被覆材で覆いかつこれらに前記被覆材を固定することを含む、護岸の施工法。
【発明の詳細な説明】
【技術分野】
【０００１】
本発明は、護岸の施工法に関する。
【背景技術】
【０００２】
海、河川又は湖沼（以下「海等」という。）から岸を護るために前記海等の近傍に護岸が構築される。従来の護岸には、海等から水平方向に隔てられた地盤の中に水平方向に対して垂直に配置された矢板と、該矢板と前記海等との間にあって前記矢板の上端部から該上端部の下方までの範囲に固定され、該範囲を覆う被覆材とを含むものがある。前記矢板は鋼製であり、前記被覆材は鉄筋コンクリート製である。前記被覆材は、前記海等から前記矢板を保護し、前記海等の水が前記矢板に接触して該矢板が腐食することを防止する。
【０００３】
前記護岸を施工するとき、まず、前記地盤の中に前記矢板を水平方向に対して垂直に配置し、次に、前記地盤における、前記矢板と該矢板から前記海等に向けて水平方向に隔てられた位置との間の領域を前記地盤の表面から前記矢板の前記上端部と下端部との間まで掘削する。その後、前記矢板の前記範囲を前記被覆材で覆いかつ前記範囲に前記被覆材を固定する。その後、前記被覆材と前記位置との間を土砂で満たす。
【０００４】
前記矢板の前記範囲を前記被覆材で覆いかつ前記範囲に前記被覆材を固定するとき、まず、ブラケットを、掘削した地盤の底部の上に配置しかつ前記矢板に固定する。次に、型枠を前記矢板から水平方向に間隔を置いて該矢板に平行に前記ブラケットに取り付ける。その後、前記型枠と前記矢板との間に鉄筋を配置し、前記型枠と前記矢板との間にコンクリートを打設する。前記コンクリートが硬化した後、前記型枠を前記ブラケットから取り外す。
【０００５】
前記地盤の前記領域を掘削したとき、前記海等の水が前記掘削した地盤の底部の上へ浸入することがある。この場合、前記矢板への前記ブラケットの固定を水中溶接により行わなければならず、前記ブラケットを前記矢板に強固に固定することが困難である。このため、前記型枠と前記矢板との間に前記コンクリートを打設している間に該コンクリートから前記型枠に圧力が加えられ、該圧力が前記ブラケットに伝わることにより、該ブラケットが破損する恐れがある。これにより、前記コンクリートが前記型枠と前記矢板との間から流出し、前記護岸の工事が中断する可能性がある。
【０００６】
従来の他の護岸には、地盤の中に第１水平方向に対して垂直に配置された矢板と、該矢板に前記第１水平方向と直交する第２水平方向に間隔を置いて固定された複数の支持金物と、該支持金物の隣接する２つの間に前記矢板に平行に配置され、前記隣接する２つのそれぞれに固定された被覆板と、該被覆板と前記矢板との間を満たす充填材とを含むものがある（特許文献１参照）。前記隣接する２つのそれぞれは前記被覆板を支持する。
【０００７】
この場合、前記地盤の中に前記矢板を配置する前に前記支持金物を前記矢板に固定することにより、前記矢板への前記支持金物の固定を水中溶接によることなく行うことができ、前記支持金物を前記矢板に強固に固定することができる。このため、前記被覆板と前記矢板との間を前記充填材で満たしている間に該充填材から前記被覆板に加えられた圧力が前記支持金物に伝わることにより、該支持金物が破損することはない。しかし、前記地盤の中に前記矢板を配置するとき、前記矢板のみならず、前記支持金物も前記地盤から摩擦抵抗を受けるため、前記矢板の配置に多くの労力と時間とを要する。
【先行技術文献】
【特許文献】
【０００８】
【特許文献１】特開２００３−９００５４
【発明の概要】
【発明が解決しようとする課題】
【０００９】
本発明の目的は、地盤の中への矢板の配置に要する労力と時間とを増すことなく、前記矢板と該矢板から間隔を置いてブラケットに取り付けられた型枠との間にコンクリートを打設したときに該コンクリートから前記型枠に加えられた圧力が前記ブラケットに伝わり、該ブラケットが破損することがないようにし、護岸の工事が中断することを防止することである。
【課題を解決するための手段】
【００１０】
本発明は、掘削した地盤の底部の上に矢板及び該矢板から水平方向に隔てられた位置のそれぞれから間隔を置いて配置されたパネルと前記位置との間を土砂で満たした後、前記パネルと前記矢板との間を充填材で満たすことにより、該充填材から前記パネルに加えられた圧力が前記土砂に伝わり、該土砂が前記圧力に抵抗するようにする。これにより、矢板に固定されたブラケットに型枠を前記矢板から間隔を置いて取り付け、前記型枠と前記矢板との間にコンクリートを打設する従来の場合のように該コンクリートから前記型枠に加えられた圧力が前記ブラケットに伝わり、該ブラケットが破損することがないようにし、護岸の工事が中断することを防止する。
【００１１】
本発明に係る護岸の施工法は、海等から水平方向に隔てられた地盤の中に矢板を水平方向に対して垂直に配置する第１ステップと、前記地盤における、前記矢板と該矢板から前記海等に向けて水平方向に隔てられた位置との間の領域を前記地盤の表面から前記矢板の上端部と下端部との間まで掘削する第２ステップと、掘削した地盤の底部の上にパネルを前記矢板及び前記位置のそれぞれから間隔を置いて前記矢板に平行に配置する第３ステップと、前記パネルと前記位置との間を土砂で満たす第４ステップと、前記パネルと前記矢板との間を充填材で満たす第５ステップとを含む。
【００１２】
前記パネルと前記矢板との間を前記充填材で満たしている間、該充填材から前記パネルに圧力が加えられる。前記パネルと前記位置との間を前記土砂で満たした後に前記パネルと前記矢板との間を前記充填材で満たすため、前記圧力は前記土砂に伝わり、該土砂は前記圧力を負担する。このため、矢板に固定されたブラケットに型枠を前記矢板から間隔を置いて取り付け、前記型枠と前記矢板との間にコンクリートを打設する従来の場合のように該コンクリートから前記型枠に加えられた圧力が前記ブラケットに伝わり、該ブラケットが破損することはなく、前記コンクリートが前記型枠と前記矢板との間から流出することはない。これにより、護岸の工事が中断することを防止することができる。
【００１３】
前記土砂が前記圧力を負担するため、従来必要とされた、矢板に固定された支持金物を要しない。このため、前記矢板に前記支持金物が固定されている従来の場合のように地盤の中に前記矢板を配置するときに前記支持金物が前記地盤から摩擦抵抗を受けることはない。このため、地盤の中への矢板の配置に要する労力と時間とが増すことはない。
【００１４】
前記施工法は、前記第３ステップの前に前記パネルに複数のスペーサーを上下方向に間隔を置いて取り付けることを含み、前記第３ステップにおいて各スペーサーが前記矢板に接するように前記掘削した地盤の底部の上に前記パネルを配置する。
【００１５】
前記施工法は、前記第３ステップと前記第４ステップとの間に位置調整手段を用いて前記矢板に対する前記パネルの上下方向の位置を調整する第６ステップを含む。前記調整手段は、前記矢板の前記上端部に固定された第１部材と、該第１部材に上下方向に移動可能に取り付けられた第２部材と、一端部が該第２部材に固定され、他端部が前記パネルに固定された第３部材とを備え、前記第６ステップにおいて、前記第２部材を前記第１部材に対して上下方向に移動させることにより、前記パネルの上下方向の位置を調整する。
【００１６】
前記施工法は、海等から水平方向に隔てられた地盤の中に、相対する２つの面を有する矢板を水平方向に対して垂直に、前記面のうち一方の面が前記海等に向けられるように配置すること、前記地盤における、前記矢板の前記一方の面と該一方の面から前記海等に向けて水平方向に隔てられた位置との間の領域を前記地盤の表面から前記矢板の上端部と下端部との間まで掘削すること、掘削した地盤の底部の上にパネルを前記矢板の前記一方の面及び前記位置のそれぞれから間隔を置いて前記矢板に平行に配置することであって、当該配置の前に前記パネルに上下方向に間隔を置いて取り付けられた複数のスペーサーのそれぞれが前記矢板に接するように前記掘削した地盤の底部の上に前記パネルを配置すること、前記矢板の前記上端部に固定された第１部材と、該第１部材に上下方向に移動可能に取り付けられた第２部材と、一端部が該第２部材に固定され、他端部が前記パネルの上端部に固定されたチェーンからなる第３部材とを備える位置調整手段を用いて前記矢板に対する前記パネルの上下方向の位置を調整することであって、前記第２部材を前記第１部材に対して上下方向に移動させることにより、前記パネルの上下方向の位置を調整すること、前記パネルと前記位置との間を土砂で満たすこと、前記パネルと前記矢板の前記一方の面との間を充填材で満たすこと、前記パネルの上端面と前記充填材の上端面と前記矢板の上端面と前記矢板の前記上端部における他方の面とを被覆材で覆いかつこれらに前記被覆材を固定することを含む。
【発明の効果】
【００１７】
本発明によれば、前記パネルと前記位置との間を前記土砂で満たした後に前記パネルと前記矢板との間を前記充填材で満たすため、該充填材から前記パネルに加えられた圧力は前記土砂に伝わり、該土砂は前記圧力を負担する。このため、矢板に固定されたブラケットに型枠を前記矢板から間隔を置いて取り付け、前記型枠と前記矢板との間にコンクリートを打設する従来の場合のように該コンクリートから前記型枠に加えられた圧力が前記ブラケットに伝わり、該ブラケットが破損することはなく、前記コンクリートが前記型枠と前記矢板との間から流出することはない。これにより、護岸の工事が中断することを防止することができる。
【００１８】
前記土砂が前記圧力を負担するため、従来必要とされた、矢板に固定された支持金物を要しない。このため、前記矢板に前記支持金物が固定されている従来の場合のように地盤の中に前記矢板を配置するときに前記支持金物が前記地盤から摩擦抵抗を受けることはない。このため、地盤の中への矢板の配置に要する労力と時間とが増すことはない。
【図面の簡単な説明】
【００１９】
【図１】本発明に係る護岸の縦断面図。
【図２】地盤の中に矢板を配置した状態を示す図。
【図３】地盤を掘削した状態を示す図。
【図４】掘削した地盤の底部の上にパネルを配置した状態を示す図。
【図５】図４の線５におけるスペーサーの拡大図。
【図６】図４の線６における位置調整手段の拡大図。
【図７】図４の線７における矢板の平面図。
【図８】図７の線８における鉄筋の側面図。
【図９】パネルと矢板から隔てられた位置との間を土砂で満たした状態を示す図。
【図１０】パネルと矢板との間を充填材で満たした状態を示す図。
【発明を実施するための形態】
【００２０】
図１に示すように、海１０から海岸１２を保護するために海１０と海岸１２との間に護岸１４が構築されている。護岸１４は、海１０から第１水平方向（図１における左右方向）に隔てられた地盤１６の中に前記第１水平方向に対して垂直に配置された矢板１８と、地盤１６の中に矢板１８から海１０に向けて前記第１水平方向に間隔を置いて矢板１８に平行に配置されたパネル２０と、該パネルと矢板１８との間を満たす充填材２２とを含む。
【００２１】
矢板１８の上端部２４は地盤１６の表面２６とほぼ同じ高さにある。矢板１８の上端面２４ａは、図１に示した例では、地盤１６の表面２６より数十ｃｍ高い高さにある。矢板１８の上端面２４ａは、地盤１６の表面２６より数十ｃｍ高い高さにある図１に示した例に代え、１ｍないし２ｍ高い高さにあってもよいし、地盤１６の表面２６と同じ高さにあってもよいし、地盤１６の表面２６より数十ｃｍ低い高さにあってもよい。
【００２２】
矢板１８は、鋼管矢板であり、前記第１水平方向と直交する第２水平方向（図１における奥行き方向）に隣接する、それぞれが上下方向に伸びる複数の鋼管２８と、各鋼管を満たす充填材３０とを備える。鋼管２８の隣接する２つは結合されており、充填材３０はコンクリートからなる。
【００２３】
パネル２０の下端部３２は矢板１８の上端部２４と下端部（図示せず）との間にある。図１に示した例では、矢板１８の上下方向の長さは１０ｍ以上であり、パネル２０の上下方向の長さは約２ｍである。パネル２０はプレキャストコンクリートからなり、充填材２２は場所打ちコンクリートからなる。パネル２０と充填材２２とは、矢板１８の上端部２４から該上端部の下方までの範囲を覆い、海１０から矢板１８を保護し、海１０の水が矢板１８に接触して該矢板が腐食することを防止する。
【００２４】
矢板１８は、相対する２つの面１８ａ、１８ｂを有し、該面のうち一方の面１８ａは海１０に向けられている。充填材２２はパネル２０と矢板１８の一方の面１８ａとの間を満たしている。護岸１４は、パネル２０の上端面と充填材２２の上端面と矢板１８の上端面２４ａと矢板１８の上端部２４における他方の面１８ｂとに固定され、これらを覆う被覆材３４を含む。被覆材３４は、場所打ちコンクリートからなり、鋼管２８の隣接する２つの結合を強化し、護岸１４の外観を良くする。
【００２５】
護岸１４を施工するとき、図２に示すように、地盤１６の中に矢板１８を前記第１水平方向に対して垂直に配置する。このとき、矢板１８の上端部２４が地盤１６の表面２６とほぼ同じ高さに位置するように矢板１８を配置する。矢板１８を配置するとき、まず、杭打ち機（図示せず）を用いて地盤１６の中に複数の鋼管２８を前記第２水平方向に隣接して打ち込み、次に、各鋼管２８の内部を充填材３０で満たし、その後、鋼管２８の隣接する２つを結合する。
【００２６】
前記隣接する２つのうち一方の鋼管２８は、前記第２水平方向に隔てられた２つの縁部を有し、一方の縁部に、一方の鋼管２８に平行な筒状の第１継手２８ａが固定され、他方の縁部に、一方の鋼管２８に平行な筒状の第２継手２８ｂが固定されている（図７）。前記隣接する２つのうち他方の鋼管２８は、前記第２水平方向に隔てられた２つの縁部を有し、一方の縁部に、他方の鋼管２８に平行な筒状の第３継手２８ｃが固定され、他方の縁部に、他方の鋼管２８に平行な筒状の第４継手２８ｄが固定されている。一方の鋼管２８と他方の鋼管２８とを結合するとき、第２継手２８ｂを第３継手２８ｃに係合させ、第２継手２８ｂの内部と第３継手２８ｃの内部とを、コンクリートからなる充填材２８ｅで満たす。充填材２８ｅは、コンクリートからなる上記の例に代え、モルタルでもよい。
【００２７】
地盤１６の中に矢板１８を配置した後、図３に示すように、地盤１６における、矢板１８と該矢板から海１０に向けて水平方向に隔てられた位置３６との間の領域３８を地盤１６の表面２６から矢板１８の上端部２４と前記下端部との間まで掘削する。図３に示した例では、矢板１８と位置３６との間の距離４０は２ｍないし４ｍであり、掘削した地盤の深さ４２（地盤１６の表面２６から、掘削した地盤の底部４４までの深さ４２）は約２ｍである。
【００２８】
その後、図４に示すように、掘削した地盤の底部４４の上にパネル２０を矢板１８及び位置３６のそれぞれから間隔を置いて矢板１８に平行に配置する。図４に示した例では、パネル２０と矢板１８との間の間隔は数十ｃｍである。掘削した地盤の底部４４の上にパネル２０を配置するとき、まず、掘削した地盤の底部４４における、矢板１８の近傍の範囲の上に砕石４６を載せ、その後、該砕石の上にパネル２０を載せる。前記範囲の前記第１水平方向の長さ寸法はパネル２０と矢板１８との間の間隔とパネル２０の厚さ寸法との和より大きく、前記範囲の前記第２水平方向の長さ寸法は矢板１８の前記第２水平方向の長さ寸法に等しい。
【００２９】
パネル２０と砕石４６との間に、パネル２０と砕石４６との間を密封する弾性部材（図示せず）が介在している。前記弾性部材は、パネル２０と矢板１８との間にコンクリートを打設したときに該コンクリートがパネル２０と矢板１８との間からパネル２０と砕石４６との間を経て流出することを阻止する。前記弾性部材は、ゴムからなり、パネル２０に固定され、前記第２水平方向に伸びている。掘削した地盤の底部４４の上にパネル２０を配置するとき、パネル２０に前記弾性部材を固定し、その後、砕石４６の上にパネル２０を載せる。前記弾性部材は、ゴムからなる上記の例に代え、発泡ウレタンからなるものでもよいし、スポンジでもよい。掘削した地盤の底部４４の上にパネル２０を配置するとき、砕石４６の上にパネル２０を載せる図４に示した例に代え、砕石４６の上に水平な板（図示せず）を載せ、該板の上にパネル２０を載せてもよし、掘削した地盤の底部４４の上に直接パネル２０を載せてもよい。
【００３０】
掘削した地盤の底部４４の上にパネル２０を配置する前にパネル２０に複数のスペーサー４８を上下方向に間隔を置いて取り付けておき、掘削した地盤の底部４４の上にパネル２０を配置するとき、各スペーサー４８が矢板１８に接するようにパネル２０を配置する。スペーサー４８はパネル２０と矢板１８との間の間隔を維持する。
【００３１】
図５に示すように、パネル２０は、プレキャストコンクリートからなる本体５０と、該本体の内部に上下方向に間隔を置いて固定され、それぞれが前記第１水平方向に伸びる軸線を有する複数のナット５２とを備え、各ナットの端部は本体５０の外方へ開放されている。各スペーサー４８は、一端部がナット５２に螺合された、本体５０から前記第１水平方向に伸びるボルトであり、該ボルトを回すことにより、本体５０から前記ボルトの他端部までの長さを調整することができる。前記長さは、該長さがパネル２０と矢板１８との間の設計上の間隔と等しくなるように調整されている。
【００３２】
掘削した地盤の底部４４の上にパネル２０を配置した後、位置調整手段５４を用いて矢板１８に対するパネル２０の上下方向の位置を調整する。図６に示すように、位置調整手段５４は、矢板１８の上端部２４に固定された第１部材５６と、該第１部材に上下方向に移動可能に取り付けられた第２部材５８と、一端部が該第２部材に固定され、他端部がパネル２０に固定された第３部材６０とを備える。パネル２０の上下方向の位置の調整は、第２部材５８を第１部材５６に対して上下方向に移動させることにより行う。
【００３３】
位置調整手段５４を用いてパネル２０の上下方向の位置を調整する前に、第１部材５６を矢板１８の上端部２４に固定し、第２部材５８を第１部材５６に上下方向に移動可能に取り付け、第３部材６０の前記一端部及び前記他端部をそれぞれ第２部材５８及びパネル２０に固定する。例えば、掘削した地盤の底部４４の上にパネル２０を配置する前に第１部材５６を矢板１８の上端部２４に固定し、第２部材５８を第１部材５６に上下方向に移動可能に取り付け、第３部材６０の前記一端部を第２部材５８に固定しておき、掘削した地盤の底部４４の上にパネル２０を配置した後に第３部材６０の前記他端部をパネル２０に固定する。これに代え、掘削した地盤の底部４４の上にパネル２０を配置する前に第１部材５６を矢板１８の上端部２４に固定し、第３部材６０の前記一端部及び前記他端部をそれぞれ第２部材５８及びパネル２０に固定しておき、掘削した地盤の底部４４の上にパネル２０を配置した後に第２部材５８を第１部材５６に上下方向に移動可能に取り付けてもよい。
【００３４】
第１部材５６は、矢板１８の上端部２４に結合された、該上端部から上方へ伸びるボルトである。第２部材５８は、該第２部材の一端部に設けられた、前記ボルトを受け入れる貫通穴６２を有する。第２部材５８の前記一端部は、該一端部の上面に密着して前記ボルトに螺合された上方ナット６４と、前記一端部の下面に密着して前記ボルトに螺合された下方ナット６６とにより、第１部材５６に取り付けられている。パネル２０は、本体５０の上端部に固定されたアイボルト６８を備え、第３部材６０は、一端部が第２部材５８の前記他端部に、他端部がアイボルト６８にそれぞれ取り付けられたチェーンである。第２部材５８を第１部材５６に対して上方へ移動させるとき、上方ナット６４及び下方ナット６６のそれぞれを回してこれらを第２部材５８とともに上方へ移動させる。他方、第２部材５８を第１部材５６に対して下方へ移動させるとき、上方ナット６４及び下方ナット６６のそれぞれを回してこれらを第２部材５８とともに下方へ移動させる。
【００３５】
第３部材６０は上下方向に対して傾斜しており、第２部材５８を第１部材５６に対して上方へ移動させることにより、第３部材６０に張力が作用し、該張力はパネル２０に伝わり、前記張力の前記第１水平方向の成分がパネル２０からスペーサー４８に伝わる。これにより、スペーサー４８が矢板１８から離れることを防ぐことができ、パネル２０と矢板１８との間の間隔を予め決められた間隔に確実に維持することができる。
【００３６】
パネル２０は、図７に示すように、前記第２水平方向に隣接する複数のパネル部材２０ａからなり、該パネル部材の隣接する２つは結合されている。パネル２０は、複数のパネル部材２０ａからなる図７に示した例に代え、１つの部材からなるものでもよい。パネル２０に複数の鉄筋７０が間隔を置いて取り付けられている。各鉄筋７０は、鋼管２８の隣接する２つの間にあり、鉄筋７０と矢板１８との間の間隔は、鉄筋７０に設計上必要なコンクリートのかぶり厚さに相当する間隔より大きい。鉄筋７０が鋼管２８の隣接する２つの間にあるため、鉄筋７０と矢板１８との間の間隔を比較的大きくすることができ、パネル２０と矢板１８との間にコンクリートを打設したときに鉄筋７０を前記コンクリートで十分に覆うことができ、鉄筋７０と前記コンクリートとを確実に結合することができる。鉄筋７０は、図８に示す例では、上下方向に間隔を置かれた、平行な２つの第１部分７２であってそれぞれがパネル２０の内部に固定され、該パネルから矢板１８に向けて前記第１水平方向に伸びる２つの第１部分７２と、該第１部分の間の各第１部分に対して垂直な第２部分７４であって矢板１８から間隔を置かれた第２部分７４とを有する。
【００３７】
パネル２０の上下方向の位置を調整した後、図９に示すように、パネル２０と位置３６との間を土砂７６で満たす。その後、図１０に示すように、パネル２０と矢板１８との間にコンクリートを打設することにより、パネル２０と矢板１８の一方の面１８ａとの間を充填材２２で満たす。地盤１６の領域３８を掘削したときに海１０の水が、掘削した地盤の底部４４の上へ浸入し、パネル２０と矢板１８との間に海１０の水が入ることがある。このため、充填材２２は、水中不分離コンクリートからなることが望ましい。鉄筋７０は充填材２２をパネル２０に定着させる。パネル２０と矢板１８の一方の面１８ａとの間を充填材２２で満たした後、パネル２０の前記上端面と充填材２２の前記上端面と矢板１８の上端面２４ａと矢板１８の上端部２４における他方の面１８ｂとを被覆材３４で覆い、かつ該被覆材をパネル２０の前記上端面と充填材２２の前記上端面と矢板１８の上端面２４ａと矢板１８の上端部２４における他方の面１８ｂとに固定する（図１）。
【００３８】
このとき、第１型枠（図示せず）を、該第１型枠の上端部がパネル２０、充填材２２及び矢板１８の上方にあり、前記第１型枠の下端部がパネル２０に密着されるようにパネル２０と海１０との間に矢板１８に平行に配置しかつパネル２０に固定し、第２型枠（図示せず）を、該第２型枠の上端部が前記第１型枠の前記上端部と同じ高さにあり、前記第２型枠の下端部が矢板１８の上端部２４と同じ高さにあって該上端部における他方の面１８ｂから前記第１水平方向に間隔を置かれるようにパネル２０と海岸１２との間に矢板１８に平行に配置しかつ地盤１６に固定し、前記第１型枠と前記第２型枠との間と、前記第２型枠と矢板１８の上端部２４における他方の面１８ｂとの間とにコンクリートを打設する。なお、前記第１型枠は、前記第２水平方向に隔てられた一端部及び他端部を有し、前記第２型枠は、前記第２水平方向に隔てられた一端部及び他端部を有し、前記コンクリートの打設前に第３型枠を前記第１型枠の前記一端部と前記第２型枠の前記一端部との間に配置しかつこれらに固定し、第４型枠を前記第１型枠の前記他端部と前記第２型枠の前記他端部との間に配置しかつこれらに固定する。前記第３型枠は前記第１型枠の前記一端部と前記第２型枠の前記一端部との間を塞ぎ、前記第４型枠は前記第１型枠の前記他端部と前記第２型枠の前記他端部との間を塞ぐ。
【００３９】
パネル２０と矢板１８との間を充填材２２で満たしている間、該充填材によりパネル２０に圧力が加えられる。パネル２０と位置３６との間を土砂７６で満たした後にパネル２０と矢板１８との間を充填材２２で満たすため、前記圧力は土砂７６に伝わり、該土砂は前記圧力を負担する。このため、矢板に固定されたブラケットに型枠を前記矢板から間隔を置いて取り付け、前記型枠と前記矢板との間にコンクリートを打設する従来の場合のように該コンクリートにより前記型枠に加えられた圧力が前記ブラケットに伝わり、該ブラケットが破損することはなく、前記コンクリートが前記型枠と前記矢板との間から流出することはない。これにより、護岸の工事が中断することを防止することができる。
【００４０】
土砂７６が前記圧力を負担するため、従来必要とされた、矢板に固定された支持金物を要しない。このため、前記矢板に前記支持金物が固定されている従来の場合のように地盤の中に前記矢板を配置するときに前記支持金物が前記地盤から摩擦抵抗を受けることはない。このため、地盤の中への矢板の配置に要する労力と時間とが増すことはない。
【００４１】
プレキャストコンクリートからなるパネル２０と場所打ちコンクリートからなる充填材２２とが矢板１８の上端部２４から該上端部の下方までの範囲を覆うため、場所打ちコンクリートからなる被覆材のみが矢板の上端部から該上端部の下方までの範囲を覆う従来の場合と比べ、場所打ちコンクリートの量を低減することができ、護岸の工事の現場での作業時間を短縮することができる。
【００４２】
一般に、型枠の大きさには制限があり、前記型枠と前記矢板との間にコンクリートを打設する従来の場合、前記型枠と前記矢板との間にコンクリートを打設した後、前記型枠を前記第２水平方向に移動させること、移動させた型枠と前記矢板との間にコンクリートを打設することを繰り返す必要があり、護岸の工事の現場での作業時間が増す。これに対して、パネル２０の大きさには制限がなく、パネル２０の前記第２水平方向の長さを矢板１８の前記第２水平方向の長さと等しくすることができ、パネル２０と矢板１８との間にコンクリートを打設する作業を一度で終えることができ、護岸の工事の現場での作業時間を短縮することができる。
【００４３】
矢板１８は、鋼管矢板である図１に示した例に代え、鋼矢板、親杭横矢板等でもよい。矢板１８は、海１０から隔てられた地盤１６の中に配置されている図１に示した例に代え、河川又は湖沼（図示せず）から隔てられた地盤の中に配置されていてもよい。充填材２２は、コンクリートからなる図１に示した例に代え、モルタル、ソイルセメント等でもよい。
【符号の説明】
【００４４】
１０    海
１４    護岸
１６    地盤
１８    矢板
２０    パネル
２２    充填材
２６    表面
３６    位置
３８    領域
４４    底部
４８    スペーサー
５４    位置調整手段
５６    第１部材
５８    第２部材
６０    第３部材
７６    土砂
【図１】
0005634814.tif 000002
【図２】
0005634814.tif 000003
【図３】
0005634814.tif 000004
【図４】
0005634814.tif 000005
【図５】
0005634814.tif 000006
【図６】
0005634814.tif 000007
【図７】
0005634814.tif 000008
【図８】
0005634814.tif 000009
【図９】
0005634814.tif 000010
【図１０】
0005634814.tif 000011